(57)【要約】【課題】  各個人が電子計算機とともに印刷機をも小さくまとまったものとして机上に置いて専用に使用できるようにすることにより作業能率を改善し、併せて事務所等の空間利用の合理化にも寄与できるようにする。【解決手段】  外箱１内部に印刷機の機能部分が収設され、給紙部１６より供給される紙が印字後に外箱１外へ排出される印刷機において、外箱１を机上に置いて使用できる大きさの平型横長のほぼ直方体に形成し、その外箱１の頂面４上には電子計算機又は表示器を搭載固定できる固定装置１０ａ，１０ｂ，１１ａ，１１ｂを備えている。【選択図】  図５
2005067183.tif 000002
【特許請求の範囲】
【請求項１】
外箱内部に印刷機の機能部分が収設され、給紙部より供給される紙が印字後に上記外箱外へ排出される印刷機において、外箱を机上に置いて使用できる大きさの平型横長のほぼ直方体に形成し、その外箱の頂面上には電子計算機又は表示器、又はそれらを結合したもの、或いはそれらを個別に並べて搭載固定できる固定装置を備えていることを特徴とする印刷機。
【発明の詳細な説明】
【技術分野】
【０００１】  本発明は、電子計算機等をその上に搭載して使用する、小型化し平型化した印刷機に関する。
【背景技術】
【０００２】  文献により示すまでもなく、電子計算機等に付属して使用する印刷機は、従来多くのものは背面上部から給紙し、左右に移動する印字器により印字して、前面下部に排紙する形のもの、下部の紙貯蔵部より紙を取り出して印字の後、上部前方又は一側方に排紙する形のもの等である。
【発明の開示】
【発明が解決しようとする課題】
【０００３】  このような構造と配置をもつ従来の印刷機は、縦、横、高さとも寸法が大きく、電子計算機や表示器が進歩により小型化されても印刷機は小型化されず、独立の装置として一定の場所を占有し、また、その作業性から設置場所が必ずしも自由に選べない。よって、各個人は電子計算機と印刷機の両者を机上に所有して専用に使用することができないために作業能率が妨げられ、同時に事務所などの空間利用の合理化をも妨げてきた。【０００４】  本発明はかかる問題を解決するものであって、その目的は、印刷機の外形を改良して、その形を机上に置いて使用できるほど小さく平型とし、且つ電子計算機又は表示器、又はその両方をこれの上に置けるようにすることにより、各個人が電子計算機とともに印刷機をも小さくまとまったものとして机上に置いて専用に使用できるようにすることにより作業能率を改善し、併せて事務所等の空間利用の合理化にも寄与できる印刷機を提供することにある。
【課題を解決するための手段】
【０００５】  上記目的を達成するために、本発明の特徴とする印刷機は、外箱内部に印刷機の機能部分が収設され、給紙部より供給される紙が印字後に上記外箱外へ排出される印刷機において、外箱を机上に置いて使用できる大きさの平型横長のほぼ直方体に形成し、その外箱の頂面上には電子計算機又は表示器、又はそれらを結合したもの、或いはそれらを個別に並べて搭載固定できる固定装置を備えている構成である。ここで、印刷機の機能主要部とは印字器及びその周縁器材である。
【発明の効果】
【０００６】  このように構成されている本発明の印刷機によれば、外箱の平らな頂面の上には、電子計算機又は表示器、或いはそれらをともに搭載することにより、これらのセット装置はコンパクトに一体化したものとしての小型化が実現し、各個人が電子計算機、表示器及び印刷機をまとまった形で机上に置いて専用に便利よく使用できることとなり、各自の作業が他との干渉を受けることなく進められるようになる。また、従来独立の印刷機が占有していた事務所内空間も不要となり、事務所での作業能率の向上と空間利用の効率化に大きく資することができる。
【発明を実施するための最良の形態】
【０００７】  本発明実施の具体的形態には、印刷機の様式により数種類のものが可能であるが、それらにはいずれにも共通する特色がある。即ち、これら実施の諸形態に共通する部分を示す図１乃至図４において、印刷機の機能部分は、紙の移動の様式の如何にかかわらず、いずれも机上に置いて使用できる大きさの平型横長のほぼ直方体をなす外箱１の内部に収設されており、その外箱１は前面２、背面３、頂面４、底面５、一方の端面６及び他方の端面７の六面から構成されている。【０００８】  頂面４の上には、図１及び図２に示すように、小型竪型の電子計算機８又は表示器９を，又はそれらを結合したものを搭載固定する（図１は電子計算機８と表示器９を結合して搭載固定した場合を示す）ための固定装置１０ａ，１０ｂ，１１ａ，１１ｂ等が設けられているか、或いは図３及び図４に示すように電子計算機８と表示部９を個別に搭載固定するための固定装置１２ａ，１２ｂ，１３ａ，１３ｂ並びに１４ａ，１４ｂ，１５ａ，１５ｂ等が設けられている。【０００９】  これらの固定装置は、例えば起立した舌片状のもので、上記搭載物を挟着できるように配置されており、その間隔は、図示の場合、一方の組の固定装置１１ａ，１１ｂ、或いは各一方の組の固定装置１２ａ，１２ｂ及び１５ａ，１５ｂを外箱１の頂面４に設けた溝にそって移動させることによって、搭載物の寸法に合わせて調整できる仕組になっている。このような共通の特色を有する実施の具体的諸形態につき、以下順次説明する。【００１０】  図５及び図６は実施の第一形態を示すもので、外箱１の背面３の上部に斜面を有する給紙部１６があり、ここに乗せられた紙１７は一枚宛下方に案内されて外箱１内に入り、ローラー１８に案内されて前面２に向って移動する過程で、外箱１内を左右向きに移動する印字器１９により印字され、次いで前面２の排紙口２０から外へ排紙される。【００１１】  次に、図７及び図８に示す実施の第二形態では、外箱１の端面７の上部に斜面を有する給紙部１６が設けられ、ここに乗せられた紙１７は一枚宛下方に案内されて外箱１内に入り、ローラー１８に案内されて反対側の端面６の方向に移動する過程で、外箱１内を前後向きに移動する印字器１９により印字され、次にローラー又はベルト２１（図ではベルト）により端面６に設けた排紙口２０から外へ排紙される。【００１２】  図９及び図１０は実施の第三形態を示す。外箱１の底面５上には紙貯蔵部２２が設けられ、紙はここに前面２、背面３又は端面７（図では前面２）に設けた給紙口２３から差し込まれて貯蔵される。反対側の端面６側にある給紙部２４により一枚宛引き出された紙２５は、ローラー２６に案内されて端面６の方向に送られる間に外箱内を前後方向に移動する印字器２７によって印字され、端面６に設けた排紙口２８から外へ排紙される。【００１３】  更に、図１１及び図１２に示す実施の第四形態では、外箱１の底面５上に設けた紙貯蔵部２２に、前面２、背面３又は端面７（図では前面２）の下部にある給紙口２３から差し込まれた紙が貯蔵される。反対側の端面６側にある給紙部２４により一枚宛引き出された髪２５は、ローラー２６によって送られ、下部ガイド２９により上向きに向きを変えられ、更にローラ���３０，３１によって送られる間に、外箱１内を前後方向に移動する印字器２７により印字され、上部ガイド３２とローラー３３によって水平移動に移る。【００１４】  そして、紙貯蔵部２の直上に設けた排紙部３４に至り、ローラー又はベルト３５（図ではベルト）により前面２、背面３、又は端面７（図では前面２）の上部にある排紙部２８から外へ排紙される。この実施の第四形態では、印字は紙が上部ガイド３２を出て水平移動する部分に印字器を設けて行なってもよい（図示省賂）。また、紙貯蔵部と排紙部の上下位置関係を逆にして、紙が外箱１の上部にある紙貯蔵部から引き出されて、印字後に下部の排紙部に移り、ここから外へ排紙される（図示省略）されるようになっていたとしても、本発明の意図に悖るものではない。
【図面の簡単な説明】
【００１５】
【図１】  本発明の実施の諸形態に共通する特色を示す斜視図で、印刷機外箱頂面上に電子計算機と表示器を結合して搭載固定した場合を示す。
【図２】  図１に示すものの電子計算機及び表示器を搭載する前の固定装置の配置を示す斜視図である。
【図３】  本発明の実施の諸形態に共通する特色を示す斜視図で、印刷機外箱頂面上に電子計算機と表示器を個別に並べて搭載固定した場合を示す。
【図４】  図３に示すものの電子計算機及び表示部を搭載する前の固定装置の配置を示す斜視図である。
【図５】  本発明の実施の第一形態を示す斜視図で、電子計算機や表示器を外箱頂面上に搭載する前の状態を示す。
【図６】  図５のＡ−Ａ線断面略図である。
【図７】  本発明の実施の第二形態を示す斜視図で、電子計算機や表示器を外箱頂面上に搭載する前の状態を示す。
【図８】  図７のＢ−Ｂ線断面略図である。
【図９】  本発明の実施の第三形態を示す斜視図で、電子計算機や表示器を外箱頂面上に搭載する前の状態を示す。
【図１０】  図９のＣ−Ｃ線断面略図である。
【図１１】  本発明の実施の第四形態を示す斜視図で、電子計算機や表示器を外箱頂面上に搭載する前の状態を示す。
【図１２】  図１１のＣ−Ｃ線断面略図である。
【符号の説明】
【００１６】１は外箱
２は前面
３は背面
４は頂面
５は底面
６は一方の端面
７は他方の端面
８は電子計算機
９は表示器
１０ａ乃至１５ａ及び１０ｂ乃至１５ｂは固定装置
１６は給紙部
１７は紙
１８はローラー
１９は印字器
２０は排紙口
２１はローラー又はベルト
２２は紙貯蔵部
２３は給紙口
２４は給紙部
２５は紙
２６はローラー
２７は印字器
２８は排紙口
２９は下部ガイド
３０，３１はローラー
３２は上部ガイド
３３はローラー
３４は排紙部
３５はローラー又はベル
【図１】
2005067183.tif 000003
【図２】
2005067183.tif 000004
【図３】
2005067183.tif 000005
【図４】
2005067183.tif 000006
【図５】
2005067183.tif 000007
【図６】
2005067183.tif 000008
【図７】
2005067183.tif 000009
【図８】
2005067183.tif 000010
【図９】
2005067183.tif 000011
【図１０】
2005067183.tif 000012
【図１１】
2005067183.tif 000013
【図１２】
2005067183.tif 000014